(57)【要約】【課題】遠隔操作で投影可能なレーザー投影装置を提供すること。【解決手段】変調可能な複数のレーザーユニット１０を列状に配置する。又、その複数のレーザーユニット１０のレーザー光を列状に反射するように光走査装置２０を設置する。この時、光走査装置２０には長手方向がレーザーユニット１０の列方向に平行に形成された方形ミラー２８を備える。これにより、レーザー光は列状に投影面２９に投影される。又、この装置に遠隔操作でインタネットと通信し投影データを取得する通信装置３０と、その投影データを記憶する記憶装置４０と、各レーザーユニット１０をオンオフさせるオンオフ信号発生装置５０を備える。オンオフ信号発生装置５０が光走査装置２０の走査状態と同期し、記憶装置４０内の投影データで各レーザーユニット１０をオンオフさせれば、インタネットで取得された広告等の投影データがレーザー投影される。【選択図】      図１
2004245993.tif 000002
【特許請求の範囲】
【請求項１】
レーザー光を用いて投影データを投影面に投影し、残視効果によって前記投影データを視認させるレーザー投影装置であって、
列状に配置された複数のレーザーユニットと、
長手方向が前記レーザーユニット列に平行に形成された方形ミラーを有し、
前記複数のレーザーユニットのレーザー光を列状に反射して前記投影面を走査する光走査装置と、
ネットワークと通信し前記投影データを取得する通信装置と、前記通信装置によって取得された前記投影データを記憶する記憶装置と、
前記光走査装置の走査状態に同期し、前記記憶装置の前記投影データに基づいて前記複数のレーザーユニットの各レーザーユニットをオンオフさせるオンオフ信号発生装置と
を備えたことを特徴とするレーザー投影装置。
【請求項２】
前記ネットワークはインタネットであることを特徴とする請求項１に記載のレーザー投影装置。
【請求項３】
前記光走査装置は、前記レーザーユニット列の列方向と平行に張設された弾性線と、
前記弾性線の両端を保持するハウジングと、
前記弾性線の中央部に、長手方向が前記弾性線に平行になるように取り付けた方形ミラーホルダーと、
前記方形ミラーホルダー前面に貼設された前記方形ミラーと、
前記方形ミラーホルダー、又は前記方形ミラーの何れかの箇所に貼設された磁石と、
前記磁石に交番磁界を作用させ、前記方形ミラーを振動させる磁界発生装置とからなることを特徴とする請求項１又は請求項２に記載のレーザー投影装置。
【請求項４】
前記磁界発生装置は、微小フェライトあるいは微小電磁軟鉄をコアとし該コアに導線が巻かれたチップコイルと、該チップコイルに交番電流を流す交番電流発生器とからなることを特徴とする請求項３に記載のレーザー投影装置。
【請求項５】
前記レーザユニットは、異なるレーザー素子の異なる波長のレーザー光を同軸で混合したカラーレーザーユニットであり、前記オンオフ信号発生装置は前記異なるレーザー素子を異なるそれぞれのオンオフ信号で制御することを特徴とする請求項１乃至請求項４の何れか１項に記載のレーザー投影装置。
【発明の詳細な説明】
【０００１】
【発明の属する技術分野】
本発明は、列状に配置されたレーザー光をその列の直角方向に走査させ、各レーザー光をオンオフさせて投影面に文字、又は図を投影させるレーザー投影装置に関する。特に、投影データをインタネット経由で取得し、そのデータをレーザーで投影面に投影するレーザー投影装置に関する。本発明は、電話回線、電力線、ＣＡＴＶ回線、無線を利用したインタネット網を用いたレーザー投影装置に適用できる。
【０００２】
【従来の技術】
従来より、投影面にレーザー光を列状に投影し目の残視効果を利用して文字、絵等を描画させる装置がある。例えば、特許第２７７０５９６号公報に開示の簡易レーザー投射装置がある。特許第２７７０５９６号公報の具体例を図４に示す。これは、列状に配置されたレーザーユニット１０でレーザー装置１００を構成し、それをモータ装置７に装着してスイッチ９のオンにより回転させ、レーザー光を列状に走査する装置である。レーザー装置１００は内部に電子回路４を有し、光走査と同時に、即ちスイッチ９のオンと同時に、各レーザーユニット１０を電子回路４内部に記憶されたデータに従ってオンオフする構成である。これにより、目の残視効果を利用して文字、絵等を描画するものである。この時、レーザー装置１００は回転するモータ装置７に装着されるため、電源線や信号線の配線が困難となる。従って、この例においてはレーザー装置１００の内部に電子回路４とレーザーユニット１０を駆動する図示しないバッテリを有し、描画を行っていた。
【０００３】
【発明が解決しようとする課題】
しかしながら、モータ回転による光走査によって文字及び絵を投影させるためには、列状のレーザーユニットが複数（例えば、少なくとも８個以上）必要であり、バッテリ駆動としては消費電力が大となる。従って、従来の構成では頻繁にバッテリを取り替える必要があり、保守効率のよいレーザー投射装置とはならなかった。尚、摺動電極による電力供給も考えられるが、摺動による摩耗及び摺動による接触ノイズの発生が考えられ、長時間に渡る高品質投影は困難であると考えられる。
又、従来の簡易レーザー投射装置は目の残視効果を利用しているため、所定以上（例えば１９８０ｒｐｍ以上）の回転数でモータ装置を回転させる必要がある。複数本のレーザーユニットからなるレーザー装置を高速で回転、又は逆転させるには、多大な電力が必要となり省電力に貢献するものではない。
又、モータ装置の高速回転にはモータ音、レーザー装置の風切り音等が発生する。よって、静粛性にも問題の残る装置であった。
又、従来の簡易レーザー投射装置はネットワークと通信する通信装置を有していない。従って、新たなデータを入力する場合はデータ入力機器をいちいち接続する必要があり、容易にデータを入力することはできなかった。即ち、必要時に即座にリアルタイムに表示することができなかった。又、勿論、遠隔操作、遠隔管理も不可能であり、利便性に優れた装置とはならなかった。
【０００４】
本発明は上述した問題点を解決するためになされたものであり、その目的は列状に配置された複数のレーザーユニットから発射されたレーザー光を、長手方向がレーザーユニット列に平行に形成された方形ミラーを有した光走査装置で反射投影することで、バッテリ等の保守作業のないレーザー投影装置を提供することである。
又、その光走査装置をレーザーユニット列に平行に張設された弾性線と、その弾性線に設置された方形ミラーを有した、ガルバノ型の光走査装置とすることで、安価で長時間に渡り高品質に投影可能なレーザー投影装置を提供することである。又、同時にその装置の静粛性を保証することである。
【０００５】
又、インタネットと通信可能な通信装置を備えることで投影データの入手を容易とし、オンデマンド投影を可能とすることである。又、インタネットによりレーザー投影装置の遠隔管理を可能とすることである。
又、レーザーユニットを異なるレーザー素子の異なる波長のレーザー光を同軸で混合したカラーレーザーユニットとすることでカラー投影を可能とし、それにより更に視認性を高めることである。
尚、上記目的は、個々の発明が達成する個々の目的であって、個々の発明が全ての目的を達成するものと解釈されるべきではない。
【０００６】
【課題を解決するための手段】
請求項１に記載のレーザー投影装置は、レーザー光を用いて投影データを投影面に投影し残視効果によって投影データを視認させるレーザー投影装置であって、列状に配置された複数のレーザーユニットと、長手方向がレーザーユニット列に平行に形成された方形ミラーを有し、その複数のレーザーユニットのレーザー光を列状に反射して投影面を走査する光走査装置と、ネットワークと通信し投影データを取得する通信装置と、その通信装置によって取得された投影データを記憶する記憶装置と、光走査装置の走査状態に同期し記憶装置の投影データに基づいて複数のレーザーユニットの各レーザーユニットをオンオフさせるオンオフ信号発生装置とを備えたことを特徴とする。
【０００７】
本発明で使用するレーザーユニットとは、例えば半導体レーザー素子、その駆動回路、及び出射レーザー光を平行光に変換するコリメートレンズからなる所謂変調レーザー装置である。本発明では、このレーザーユニットを列状に配置する。例えば、縦に１６本配置する。そして、その前方に長手方向がレーザーユニット列に平行に形成された方形ミラーを有した光走査装置を配置し、複数のレーザーユニットのレーザー光を列状に方形ミラーに入射させる。そして、この光走査装置を駆動して方形ミラーを駆動する。これにより、複数のレーザーユニットのレーザー光は列状に反射走査される。即ち、壁等の投影面には１６本のレーザー走査線が横方向に投影されることになる。
【０００８】
又、本発明のレーザー投影装置はネットワークと通信する通信装置を備えている。これにより、ネットワークから投影データを取得し、その投影データを記憶装置に記憶する。投影データとは、文字、静止画、動画等の投影されるべきデータである。そして、オンオフ信号発生装置が光走査装置の走査状態に同期して、記憶装置の投影データに基づいて複数のレーザーユニットの各レーザーユニットをオンオフさせる。例えば、光走査状態が左端の所定位置にある時点を始点として、オンオフ制御を開始する。投影データを例えば１６×１６のドットマトリクスで表わすと、第１列目のデータ（１６個）に従って例えば１６本の各レーザーユニットをそれぞれオンオフ制御する。即ち、第１列目のデータで１６本の各レーザーユニットをパラレルに制御する。そして、所定時間後に第２列目のデータで同様に１６本の各レーザーユニットをパラレルに制御する。これを第１６列まで繰り返す。第１６列目の制御が終了すれば、再度第１列目のデータに戻って制御する。この動作を例えば１秒間に３３回以上繰り返えす。１秒間に３３回以上繰り返せば、残視効果により記憶装置内の投影データが投影面で連続して視認される。即ち、ネットワークから得られた投影データが容易に投影され、効果的に万人に視認させることができる。
【０００９】
尚、光走査装置は例えばガルバノ型走査装置が適用されるが、長手方向がレーザー列に平行で、レーザー光列をそのまま反射して投影面に走査する光走査装置であれば他の形式でもよい。例えばポリゴンミラー型走査装置でもよい。
又、ここでは投影データを簡単のために１６×１６のドットマトリクスで説明したが、勿論これに限定するものではない。例えば投影データを１６×３２、１６×６４、１６×２５６等のドットマトリクスとしてもよい。レーザーユニットの変調周波数をＦ、光走査装置の走査周波数をｆとすれば、１６×（Ｆ／ｆ）のドットマトリクスまで投影可能となる。勿論、３２×（Ｆ／ｆ）のドットマトリクスとしてもよい。
【００１０】
又、請求項２に記載の投影装置は請求項１に記載のレーザー投影装置であって、ネットワークはインタネットであることを特徴とする。インタネットは、最も広い分布を有するネットワークである。このネットワークは、電話回線、ＣＡＴＶ線路、無線回線でアクセス可能となっている。よって、投影装置にインタネットのアドレスを与えれば、電話回線、ＣＡＴＶ線路、無線回線を介して容易にアクセス可能となり遠隔地からの投影データも容易に受信し、それをリアルタイムで投影することができる。
【００１１】
又、請求項３に記載の投影装置は請求項１又は請求項２に記載のレーザー投影装置であって、光走査装置はレーザーユニット列の列方向と平行に張設された弾性線と、その弾性線の両端を保持するハウジングと、弾性線の中央部に長手方向が弾性線に平行になるように取り付けた方形ミラーホルダーと、その方形ミラーホルダー前面に貼設された方形ミラーと、方形ミラーホルダー又は方形ミラーの何れかの箇所に貼設された磁石と、その磁石に交番磁界を作用させ方形ミラーを振動させる磁界発生装置とからなることを特徴とする。
【００１２】
この光走査装置は、弾性線をネジリバネとする一種のガルバノ型光走査装置である。本発明では、レーザーユニット列の列方向に平行に張設された弾性線の中央部に、長手方向がその弾性線に平行になるようにして方形ミラーホルダーが取り付けられ、その方形ミラーホルダー前面に方形ミラーが貼設され、弾性線の両端がハウジングに保持されてネジリ振動可能な構造となっている。又、方形ミラーホルダー又は方形ミラーの何れかの箇所には磁石が貼設され、その磁石近傍に磁界発生装置を備えている。
【００１３】
この構造において、磁界発生装置によって交番磁界を発生させると磁石は磁界によりトルクを受け回転する。特に、その機械系、ネジリバネ係数に関連した固有の振動数で交番磁界を発生させると共振振動する。即ち、交番磁界の周波数と機械系の固有振動数を一致させれば、方形ミラーは共振振動する。この共振振動する方形ミラーに列状のレーザー光を導入しているので、光走査装置は投影面を列状のレーザー光で走査することになる。
本発明では、光走査装置に共振振動を利用しているので駆動電圧、駆動電流とも低く抑えることができる。例えば、５Ｖ、２０ｍＡで駆動可能となる。即ち、省電力型のレーザー投影装置を実現することができる。又、本発明ではネジリバネを利用しているので騒音がない。よって、極めて静粛なレーザー投影装置とすることもできる。
【００１４】
又、請求項４に記載の投影装置は請求項３に記載のレーザー投影装置であって、磁界発生装置は微小フェライトあるいは微小電磁軟鉄をコアとしそのコアに導線が巻かれたチップコイルと、そのチップコイルに交番電流を流す交番電流発生器とからなることを特徴とする。チップコイルに交番電流発生器から電流を供給するとチップコイル両端から磁界が発生する。よって、容易に磁石にトルクを与えることができる。よって、容易に請求項３に記載のレーザー投影装置を実現することができる。又、チップコイルは、数ミリ角である。よって、省スペースとなり、投影装置を小型化することができる。
【００１５】
又、請求項５に記載の投影装置は請求項１乃至請求項４の何れか１項に記載のレーザー投影装置であって、レーザユニットは異なるレーザー素子の異なる波長のレーザー光を同軸で混合したカラーレーザーユニットであり、オンオフ信号発生装置は異なるレーザー素子を異なるそれぞれのオンオフ信号で制御することを特徴とする。
【００１６】
近年では赤色半導体レーザー素子に加え、ＳＨＧ素子を用いた緑色半導体レーザー素子、窒化物系（ＩｎＧａＮ系）半導体を用いた青色レーザー素子が実現されている。本発明は、これらのレーザー素子のレーザー光を例えばビームスプリッターを用いて同軸で混合し、レーザーユニットをカラーレーザーユニットとする。即ち、Ｒ／Ｇ／Ｂレーザー光のそれぞれの投影が可能なレーザーユニットとする。そしてオンオフ信号発生装置により、異なるレーザー素子を異なるそれぞれのオンオフ信号で制御する。例えば、赤色が必要な場合は赤色半導体レーザー素子をオンし、黄色が必要な場合は赤色半導体レーザー素子と緑色半導体レーザー素子を同時にオンする。これにより、容易にフルカラー投影が可能となる。フルカラー投影すれば視認性が向上するので、極めて効果的に注意力を喚起することができる。
【００１７】
【実施例】
（第１実施例）
図１に第１実施例のレーザー投影装置を示す。図は、構成鳥瞰図である。本実施例のレーザー投影装置は、列状に配置された複数のレーザーユニット１０と、長手方向がレーザーユニット列に平行に形成された方形ミラー２８を有し、複数のレーザーユニット１０のレーザー光を列状に反射して投影面を走査する光走査装置２０と、ネットワークと通信し投影データを取得する通信装置３０と、その投影データを記憶する記憶装置４０と、光走査装置２０の走査状態に同期し記憶装置４０の投影データに基づいて各レーザーユニット１０をオンオフさせるオンオフ信号発生器５０とから構成される。
【００１８】
上記構成において、レーザーユニット１０は例えば半導体レーザー素子、その駆動回路、及び出射レーザー光を平行光に変換するコリメートレンズからなる所謂変調レーザー装置である。本実施例では、このレーザーユニット１０を例えば縦に１６本配置する（図では、便宜上５本である）。そして、その前方には、固定鏡５を配置し、レーザーユニット１０からのレーザー光を反射して光走査装置２０に入射させる。光走査装置２０は、例えば後述するガルバノ型光走査装置である。これにより、複数のレーザーユニット１０のレーザー光は、投影面２９に横方向に列状に走査される。
【００１９】
この時、本実施例のレーザー投影装置は外部と無線で通信可能な通信装置３０を有している。この通信装置３０は、例えば無線でインタネットに接続されており、例えば表示すべき文字データ等の投影データを取得する。そして、記憶装置４０がその投影データを記憶する。次に、オンオフ信号発生器５０が光走査装置２０の走査状態に同期して、記憶装置４０の投影データに基づいて各レーザーユニット１０をオンオフ制御する。例えば、光走査状態が左端の所定位置にある時を始点として、オンオフを開始する。
【００２０】
投影データを簡単のため例えば１６×１６のドットマトリクスで表わすと、第１列目のデータ（１６個）に従って各レーザーユニット１０をオンオフ制御する。そして、所定時間後に第２列目をオンオフ制御する。これを第１６列まで繰り返えす。第１６列のオンオフ制御が終了すれば、再度第１列のデータに戻って繰り返す。この動作を例えば、１秒間に３３回以上繰り返す。１秒間に３３回以上繰り返せば、目の残視効果により例えば１６ドット×１６ドットの文字が投影面２９に静止して投影される。即ち、インタネットから得られた投影データが容易に壁等に投影され、効果的に万人に視認させることができる。インタネットは世界中に張り巡らされた最も有力なネットワークである。よって、本装置によれば自国のみならず他国の広告等のデータをもオンデマンドに投影することができる
。
【００２１】
図２に本実施例の光走査装置２０を示す。図は、本装置の後方鳥瞰図である。本実施例の光走査装置２０は、レーザーユニット列に平行に張設された弾性線２１と、その弾性線２１の両端を保持するハウジング２２と、弾性線２１の中央部に長手方向が弾性線２１に平行になるように取り付けられた方形ミラーホルダー２３と、その方形ミラーホルダー前面に貼設された方形ミラー２８と、方形ミラーホルダー２３の後面の何れかの箇所に貼設された磁石２４と、その磁石２４に交番磁界を作用させ方形ミラー２８を振動させる磁界発生装置２５とから構成される。尚、磁界発生装置２５は、例えばフェライトコアに導線を捲回したチップコイル２６と、そのチップコイル２６に交番電流を印可する交番電流発生器２７とから構成される。
【００２２】
この光走査装置２０は、弾性線２１をネジリバネとする一種のガルバノ型光走査装置である。チップコイル２６から磁界を発生させると磁石２４がトルクを受け、方形ミラー２８及び方形ミラーホルダー２３が回転する。この時、交番電流発生装置２７によりチップコイル２６から交番磁界を発生させ、その周波数をネジリバネ機構の固有振動数と一致させれば、方形ミラー２８を伴ったミラーホルダー２３は共振振動する。
【００２３】
この共振振動する方形ミラー２８に列状のレーザー光を入射させれば、図１に示したように投影面２９には列状のレーザー光が光走査される。この光走査装置２０は、共振振動を利用しているので駆動電圧、駆動電流とも低く抑えることができる。例えば、５Ｖ、２０ｍＡで駆動される。即ち、本実施例の光走査装置２０は省電力型の光走査装置となる。又、ネジリバネを利用しているので、耐久性に優れるとともに騒音がなく静粛なレーザー投影装置となっている。
尚、本実施例では光走査装置はガルバノ型走査装置としたが、長手方向がレーザー列に平行でレーザー光列をそのまま反射して投影面に走査する光走査装置であれば他の形式でもよい。例えばポリゴンミラー型走査装置でも適用することができる。
【００２４】
（第２実施例）
第１実施例は、単色のレーザーユニット１０を用いて単色で文字、絵等の投影データを投影面２９に投影するレーザー投影装置の１例であった。このレーザーユニット１０は単色に限定する必要はなく、カラー化してもよい。第２実施例はこのレーザユニット１０をカラーレーザーユニットとし、フルカラーで文字、絵等を投影するレーザー投影装置の１例である。
【００２５】
カラーレーザーユニット７０の構成を図３に示す。本実施例のカラーレーザーユニット７０は、例えば赤色を発光する赤色半導体レーザー素子（Ｒ）１１、赤外線半導体レーザーとＳＨＧ素子により構成される緑色半導体レーザー素子（Ｇ）１２、窒化物系（ＩｎＧａＮ系）半導体により青色発光が可能となった青色半導体レーザー素子（Ｂ）１３、青色と緑色を混合する光混合素子（ビームスプリッター）１４、光混合素子１４の出力と赤色を混合する光混合素子１５、それぞれのレーザー素子をオンオフ制御するオンオフ信号発生器６０から構成される。
【００２６】
この時、オンオフ信号発生器６０は記憶装置４０内の各色の投影データに従って各レーザー素子をオンオフ制御する。例えば、赤色半導体レーザー素子（Ｒ）１１と緑色半導体レーザー素子（Ｇ）１２と青色半導体レーザー素子（Ｂ）１３を同時にオンすれば、白色で投影される。又、例えば赤色半導体レーザー素子（Ｒ）１１と緑色半導体レーザー素子（Ｂ）１２を同時にオンすれば黄色で投影される。又、更にそれぞれのオン期間を更に制御すればオレンジ等の中間色で投影可能となる。即ち、文字、絵、背景等をフルカラーで表示することができる。即ち、極めて視認性に富み注意力を喚起できるレーザー投影装置となる。
【００２７】
【発明の効果】
本発明の請求項１に記載のレーザー投影装置は、長手方向がレーザーユニット列に平行に形成された方形ミラーを有した光走査装置によって、レーザーを列状に反射して走査する。即ち、光のみ列状に反射して投影する構成である。即ち、従来のようにレーザー装置を列状にモータに装着して回転させないので、複数のレーザー装置をバッテリ駆動とする必要がない。即ち、バッテリ交換のない保守の容易なレーザー投影装置となる。
又、従来の様にレーザー装置をモータに取り付けて回転させないので、モーター音、レーザー装置の回転による風切り音がない。よって、静粛で省電力を実現するレーザー投影装置となる。
又、本発明では通信装置を有しているので投影データの入手が容易となり、それによりオンデマンド投影が可能となる。又、通信によりレーザー投影装置の遠隔管理も可能となる。即ち、利便性に優れたレーザー投影装置とすることができる。
【００２８】
又、請求項２に記載のレーザー投影装置は請求項１に記載のレーザー投影装置であって、通信装置と通信するネットワークをインタネットとしている。即ち、投影データは通信装置によってインタネットから取得される。インタネットは、世界中に張り巡らされた最も有力なネットワークである。よって、通信装置にインタネットのアドレスを与えれば遠隔地からの投影データを容易に受信し、それを投影させることができる。即ち、自国のみならず他国の広告等のデータを投影することができる。よって、本発明のレーザー投影装置は極めて有用な広告媒体とすることができる。
【００２９】
又、請求項３に記載の投影装置は請求項１又は請求項２に記載の投影装置であって、光走査装置をネジリバネを用いたガルバノ型の光走査装置としている。共振型であるので、駆動電圧、駆動電流とも低く抑えることができる。例えば、５Ｖ、２０ｍＡで駆動可能となる。即ち、極めて省電力とすることができる。又、ネジリバネを利用しているので騒音がない。よって、極めて静粛な投影装置ともすることができる。又、弾性線に方形ミラーを取り付け、交番磁界で共振振動する簡単な構成であるので耐久性に優れ、又安価にそれを実現することができる。
又、請求項４に記載の投影装置は請求項３に記載の投影装置であって、磁界発生装置をチップコイルと交番電流発生器で構成している。チップコイルは、数ミリ角である。よって、省スペースとなり、投影装置を小型化することができる。
【００３０】
又、請求項５に記載の投影装置は請求項１乃至請求項４の何れか１項に記載の投影装置であって、レーザーユニットを複数のレーザー素子からなるカラーレーザーユニットとしている。よって、各レーザー素子をそれぞれのオンオフ信号で制御すれば、特にそのオン時間を制御すれば、容易にフルカラー投影が可能となる。例えば、インタネット等のカラー表示のバーナー広告（画面上の帯状広告）をそのままの色で壁等に投影することができる。即ち、極めて視認性が向上する。即ち、極めて注意力を喚起できる広告等に有効な投影装置とすることができる。
【００３１】
（変形例）
上記実施例では、チップコイルはフェライトをコアとしてその外周に導線を捲回したものを想定したが、このコアは特にフェライトでなくともよい。例えば、微小電磁軟鉄でもよい。又、巻き数が多ければ空芯でもよい。
又、第１実施例ではレーザーユニットを縦に配列したが、勿論、横方向に配列してもよい。その場合は、レーザー光列は縦に投影される。即ち、縦方向に広告等を投影することができる。
又、第２実施例では光混合素子を用いて異なる波長のレーザー光を混合したが、即ち、３個の異なるレーザー素子を用いたが、３波長を出力可能な一個のレーザー素子をもちいてもよい。即ち、３個の異なるレーザー素子が１個のパッケージに収納されたカラー半導体レーザー素子を用いても良い。それぞれのオンオフ信号で異なるレーザー素子が制御できれば、その形態は問わない。
【図面の簡単な説明】
【図１】本発明の第１実施例に係るレーザー投影装置の構成鳥瞰図。
【図２】本発明の第１実施例のレーザー投影装置に係る光走査装置の後方鳥瞰図。
【図３】本発明の第２実施例のレーザー投影装置に係るカラーレーザーユニット構成図。
【図４】従来の簡易レーザー投射装置構成図。
【符号の説明】
５  固定鏡
１０  レーザーユニット
１１  赤色半導体レーザー素子
１２  緑色半導体レーザー素子
１３  青色半導体レーザー素子
１４、１５  光混合素子
２０  光走査装置
２１  弾性線
２２  ハウジング
２３  方形ミラーホルダー
２４  磁石
２５  磁界発生装置
２６  チップコイル
２７  交番電流発生装置
２９  投影面
３０  通信装置
４０  記憶装置
５０、６０  オンオフ信号発生器
７０  カラーレーザーユニット
【図１】
2004245993.tif 000003
【図２】
2004245993.tif 000004
【図３】
2004245993.tif 000005
【図４】
2004245993.tif 000006